(57)【特許請求の範囲】
【請求項１】
表示手段付の電話機において、
伝言文字情報の入力を行う入力手段と、
外部から電話回線を介して送信された伝言文字情報を検出する検出手段と、
入力手段で入力された伝言文字情報または検出手段で検出された伝言文字情報を伝言文字情報記憶手段に記憶させるとともに表示手段に表示させる伝言制御手段と、
を備え、
外部から電話回線を介して送信される伝言文字情報は、特定の送信元メールアドレスからのメール情報であり、
検出手段は、受信メールの送信元メールアドレスが予め設定された伝言用メールアドレスと一致するとき、メール本文またはメールタイトルまたはメール添付文字情報を伝言文字情報とするようにしたこと、
を特徴とする電話機。
【請求項２】
表示手段付の電話機において、
伝言文字情報の入力を行う入力手段と、
外部から電話回線を介して送信された伝言文字情報を検出する検出手段と、
入力手段で入力された伝言文字情報または検出手段で検出された伝言文字情報を伝言文字情報記憶手段に記憶させるとともに表示手段に表示させる伝言制御手段と、
を備え、
外部から電話回線を介して送信される伝言文字情報は、メールタイトルまたはメール本文中に特定の文字列を含むメール情報であり、
検出手段は、受信メールのメールタイトルまたは本文中の文字列が予め設定された伝言用文字列と一致するとき、メール本文またはメールタイトルまたはメール添付文字情報を伝言文字情報とするようにしたこと、
を特徴とする電話機。
【請求項３】
伝言制御手段は、表示手段に伝言表示中に、新たに入力手段で伝言文字情報が入力されるか、または検出手段で新たな伝言文字情報が検出されると、伝言文字情報記憶手段に上書きして記憶させるとともに、表示手段にそれまで表示されていた伝言文字情報を消去し、代わりに今回の伝言文字情報を表示させるようにしたこと、
を特徴とする請求項１記載の電話機。
【請求項４】
伝言制御手段は、表示手段に伝言表示中に、新たに入力手段で伝言文字情報が入力されるか、または検出手段で新たな伝言文字情報が検出されると、伝言文字情報記憶手段に上書きして記憶させるとともに、表示手段にそれまで表示されていた伝言文字情報を消去し、代わりに今回の伝言文字情報を表示させるようにしたこと、
を特徴とする請求項２記載の電話機。
【請求項５】
表示手段付の電話機において、
伝言文字情報の入力を行う入力手段と、
外部から電話回線を介して送信された伝言文字情報を検出する検出手段と、
入力手段で入力された伝言文字情報または検出手段で検出された伝言文字情報を伝言文字情報記憶手段に記憶させるとともに表示手段に表示させる伝言制御手段と、
を備え、
表示手段は、待ち受け時に所定の待ち受け画面を表示可能であり、
伝言制御手段は、伝言文字情報記憶手段に表示すべき伝言文字情報がないときは待ち受け時に表示手段に所定の待ち受け画面を表示させ、伝言文字情報記憶手段に表示すべき伝言文字情報があるときは、待ち受け時に表示手段に所定の待ち受け画面に代えてまたは所定の待ち受け画面の一部の上に重ねて伝言文字情報を表示させるようにしたこと、
を特徴とする電話機。
【請求項６】
伝言確認操作を行う伝言確認操作手段を設け、
伝言制御手段は、表示手段に伝言表示中に伝言確認操作がされると、表示手段にそれまで表示されていた伝言文字情報を消去し、所定の待ち受け画面を表示させること、
を特徴とする請求項５記載の電話機。
【請求項７】
伝言確認操作を行う伝言確認操作手段を設け、
伝言制御手段は表示手段に伝言文字情報を表示してから伝言確認操作がされるまでの間、光または音で伝言文字情報の存在を告知するようにしたこと、
を特徴とする請求項１または３記載の電話機。
【請求項８】
伝言確認操作を行う伝言確認操作手段を設け、
伝言制御手段は表示手段に伝言文字情報を表示してから伝言確認操作がされるまでの間、光または音で伝言文字情報の存在を告知するようにしたこと、
を特徴とする請求項２または４記載の電話機。
【請求項９】
伝言確認操作を行う伝言確認操作手段と、
伝言文字情報を音声合成により音声に変換して出力する音声合成手段と、
を設け、
伝言制御手段は伝言確認操作がされると、表示中の伝言文字情報を音声合成手段により音声で出力させるようにしたこと、
を特徴とする請求項１または３記載の電話機。
【請求項１０】
伝言確認操作を行う伝言確認操作手段と、
伝言文字情報を音声合成により音声に変換して出力する音声合成手段と、
を設け、
伝言制御手段は伝言確認操作がされると、表示中の伝言文字情報を音声合成手段により音声で出力させるようにしたこと、
を特徴とする請求項２または４記載の電話機。
【請求項１１】
表示手段付の電話機において、
伝言文字情報の入力を行う入力手段と、
外部から電話回線を介して送信された伝言文字情報を検出する検出手段と、
入力手段で入力された伝言文字情報または検出手段で検出された伝言文字情報を伝言文字情報記憶手段に記憶させるとともに表示手段に表示させる伝言制御手段と、
伝言確認操作を行う伝言確認操作手段と、
伝言確認応答先電話番号を記憶した伝言確認応答情報記憶手段と、
を設け、
伝言制御手段は伝言確認操作がされると、伝言確認応答情報記憶手段に記憶された伝言確認応答先電話番号に自動発信させるようにしたこと、
を特徴とする電話機。
【請求項１２】
伝言確認応答情報記憶手段には伝言確認応答先電話番号とともに所定の伝言確認応答メッセージを記憶しておき、
伝言制御手段は伝言確認操作がされると、伝言確認応答情報記憶手段に記憶された伝言確認応答先電話番号に自動発信させ、通話状態になったあと所定の伝言確認応答メッセージを音声出力するようにしたこと、
を特徴とする請求項１１記載の電話機。
【請求項１３】
表示手段付の電話機において、
伝言文字情報の入力を行う入力手段と、
外部から電話回線を介して送信された伝言文字情報を検出する検出手段と、
入力手段で入力された伝言文字情報または検出手段で検出された伝言文字情報を伝言文字情報記憶手段に記憶させるとともに表示手段に表示させる伝言制御手段と、
伝言確認操作を行う伝言確認操作手段と、
伝言確認応答メール情報を記憶した伝言確認応答情報記憶手段と、
を設け、
伝言制御手段は伝言確認操作がされると、伝言確認応答情報記憶手段に記憶された伝言確認応答メールを自動発信させるようにしたこと、
を特徴とする電話機。
【請求項１４】
表示手段付の電話機において、
伝言文字情報の入力を行う入力手段と、
外部から電話回線を介して送信された伝言文字情報を検出する検出手段と、
入力手段で入力された伝言文字情報または検出手段で検出された伝言文字情報を伝言文字情報記憶手段に記憶させるとともに表示手段に表示させる伝言制御手段と、
伝言確認操作を行う伝言確認操作手段を設け、
伝言制御手段は、表示手段に伝言表示中に、新たに文字入力手段で伝言文字列が入力されるか、または検出手段で新たな伝言文字情報が検出されると、伝言文字情報記憶手段に追加して記憶させるとともに表示手段にそれまで表示されていた伝言文字情報に上書きして新たな伝言文字情報を表示させ、伝言確認操作がされる度に、表示手段にそれまで表示されていた伝言文字情報を消去し、次に新しい伝言文字情報を表示させるようにしたこと、
を特徴とする電話機。
【請求項１５】
表示手段付の電話機において、
外部から電話回線を介して送信された伝言情報を検出する検出手段と、
検出手段で検出された伝言情報を伝言情報記憶手段に記憶させるとともに表示手段に表示させる伝言制御手段と、
を備え、
外部から電話回線を介して送信される伝言情報は、特定の送信元メールアドレスからのメール情報であり、
検出手段は、受信メールの送信元メールアドレスが予め設定された伝言用メールアドレスと一致するとき、メール本文またはメールタイトルまたはメール添付情報を伝言情報とするようにしたこと、
を特徴とする電話機。
【請求項１６】
表示手段付の電話機において、
外部から電話回線を介して送信された伝言情報を検出する検出手段と、
検出手段で検出された伝言情報を伝言情報記憶手段に記憶させるとともに表示手段に表示させる伝言制御手段と、
を備え、
外部から電話回線を介して送信される伝言情報は、メールタイトルまたはメール本文中に特定の文字列を含むメール情報であり、
検出手段は、受信メールのメールタイトルまたは本文中の文字列が予め設定された伝言用文字列と一致するとき、メール本文またはメールタイトルまたはメール添付情報を伝言情報とするようにしたこと、
を特徴とする電話機。
【請求項１７】
伝言制御手段は、表示手段に伝言表示中に検出手段で新たな伝言情報が検出されると、伝言情報記憶手段に上書きして記憶させるとともに、表示手段にそれまで表示されていた伝言情報を消去し、代わりに今回の伝言情報を表示させるようにしたこと、
を特徴とする請求項１５記載の電話機。
【請求項１８】
伝言制御手段は、表示手段に伝言表示中に検出手段で新たな伝言情報が検出されると、伝言情報記憶手段に上書きして記憶させるとともに、表示手段にそれまで表示されていた伝言情報を消去し、代わりに今回の伝言情報を表示させるようにしたこと、
を特徴とする請求項１６記載の電話機。
【請求項１９】
表示手段付の電話機において、
外部から電話回線を介して送信された伝言情報を検出する検出手段と、
検出手段で検出された伝言情報を伝言情報記憶手段に記憶させるとともに表示手段に表示させる伝言制御手段と、
を備え、
表示手段は、待ち受け時に所定の待ち受け画面を表示可能であり、
伝言制御手段は、伝言情報記憶手段に表示すべき伝言情報がないときは待ち受け時に表示手段に所定の待ち受け画面を表示させ、伝言情報記憶手段に表示すべき伝言情報があるときは、待ち受け時に表示手段に所定の待ち受け画面に代えてまたは所定の待ち受け画面の一部の上に重ねて伝言情報を表示させるようにしたこと、
を特徴とする電話機。
【請求項２０】
伝言確認操作を行う伝言確認操作手段を設け、
伝言制御手段は、表示手段に伝言表示中に伝言確認操作がされると、表示手段にそれまで表示されていた伝言情報を消去し、所定の待ち受け画面を表示させること、
を特徴とする請求項１９記載の電話機。
【請求項２１】
伝言確認操作を行う伝言確認操作手段を設け、
伝言制御手段は表示手段に伝言情報を表示してから伝言確認操作がされるまでの間、光または音で伝言情報の存在を告知するようにしたこと、
を特徴とする請求項１５または１７記載の電話機。
【請求項２２】
伝言確認操作を行う伝言確認操作手段を設け、
伝言制御手段は表示手段に伝言情報を表示してから伝言確認操作がされるまでの間、光または音で伝言情報の存在を告知するようにしたこと、
を特徴とする請求項１６または１８記載の電話機。
【請求項２３】
伝言情報は文字情報であり、伝言確認操作を行う伝言確認操作手段と、
伝言情報を音声合成により音声に変換して出力する音声合成手段と、
を設け、
伝言制御手段は伝言確認操作がされると、表示中の伝言情報を音声合成手段により音声で出力させるようにしたこと、
を特徴とする請求項１５または１７記載の電話機。
【請求項２４】
伝言情報は文字情報であり、伝言確認操作を行う伝言確認操作手段と、
伝言情報を音声合成により音声に変換して出力する音声合成手段と、
を設け、
伝言制御手段は伝言確認操作がされると、表示中の伝言情報を音声合成手段により音声で出力させるようにしたこと、
を特徴とする請求項１６または１８記載の電話機。
【請求項２５】
表示手段付の電話機において、
外部から電話回線を介して送信された伝言情報を検出する検出手段と、
検出手段で検出された伝言情報を伝言情報記憶手段に記憶させるとともに表示手段に表示させる伝言制御手段と、
伝言確認操作を行う伝言確認操作手段と、
伝言確認応答先電話番号を記憶した伝言確認応答情報記憶手段と、
を設け、
伝言制御手段は伝言確認操作がされると、伝言確認応答情報記憶手段に記憶された伝言確認応答先電話番号に自動発信させるようにしたこと、
を特徴とする電話機。
【請求項２６】
伝言確認応答情報記憶手段には伝言確認応答先電話番号とともに所定の伝言確認応答メッセージを記憶しておき、
伝言制御手段は伝言確認操作がされると、伝言確認応答情報記憶手段に記憶された伝言確認応答先電話番号に自動発信させ、通話状態になったあと所定の伝言確認応答メッセージを音声出力するようにしたこと、
を特徴とする請求項２５記載の電話機。
【請求項２７】
表示手段付の電話機において、
外部から電話回線を介して送信された伝言情報を検出する検出手段と、
検出手段で検出された伝言情報を伝言情報記憶手段に記憶させるとともに表示手段に表示させる伝言制御手段と、
伝言確認操作を行う伝言確認操作手段と、
伝言確認応答メール情報を記憶した伝言確認応答情報記憶手段と、
を設け、
伝言制御手段は伝言確認操作がされると、伝言確認応答情報記憶手段に記憶された伝言確認応答メールを自動発信させるようにしたこと、
を特徴とする電話機。
【請求項２８】
表示手段付の電話機において、
外部から電話回線を介して送信された伝言情報を検出する検出手段と、
検出手段で検出された伝言情報を伝言情報記憶手段に記憶させるとともに表示手段に表示させる伝言制御手段と、
伝言確認操作を行う伝言確認操作手段と、
を設け、
伝言制御手段は、表示手段に伝言表示中に検出手段で新たな伝言情報が検出されると、伝言情報記憶手段に追加して記憶させるとともに表示手段にそれまで表示されていた伝言情報に上書きして新たな伝言情報を表示させ、伝言確認操作がされる度に、表示手段にそれまで表示されていた伝言情報を消去し、次に新しい伝言情報を表示させるようにしたこと、
を特徴とする電話機。
【発明の詳細な説明】
【０００１】
【発明の属する技術分野】
本発明は電話機に係り、とくに伝言板機能付の電話機に関する。
【０００２】
【従来の技術】
近年の固定電話機は音声で通話する以外に、メールの送受信をする機能を持ったものがあり、文字情報を用いた通信が可能となっている。具体的には、メールが着信すると、自動的にメモリに記憶される。そして、「メールがあります」の文字が表示される。ユーザがメニューの中から「受信メール」を選択すると、受信メールの送信元アドレスとタイトルのリストが表示される。リストから所望のメールを選択すると、本文が表示されるので、用件を知ることができる。
【０００３】
【発明が解決しようとする課題】
けれども、従来のメール送受信機能付の固定電話機では、所望の受信メールの本文を見るためには、メニューを表示させる操作、メニユーの中から「受信メール」を選択して受信メールリストを表示させる操作、リストから所望メールを選択する操作等、種々の操作をしなければならず煩雑である。このため、受信メールの確認操作を後回しにしてしまう場合も多い。
この結果、外出中のＡが同じく外出中のＢに伝言するため固定電話機宛てにメールを送信しても、家に戻ったＢが受信メールを読むための操作をしないため伝言が伝わらない場合があった。
本発明は上記した従来技術の問題に鑑み、伝言を確実に伝えることのできる電話機を提供することを、その目的とする。
【０００４】
【課題を解決するための手段】
請求項１記載の発明では、表示手段付の電話機において、伝言文字情報の入力を行う入力手段と、外部から電話回線を介して送信された伝言文字情報を検出する検出手段と、入力手段で入力された伝言文字情報または検出手段で検出された伝言文字情報を伝言文字情報記憶手段に記憶させるとともに表示手段に表示させる伝言制御手段と、を備え、外部から電話回線を介して送信される伝言文字情報は、特定の送信元メールアドレスからのメール情報であり、検出手段は、受信メールの送信元メールアドレスが予め設定された伝言用メールアドレスと一致するとき、メール本文またはメールタイトルまたはメール添付文字情報を伝言文字情報とするようにしたこと、を特徴としている。
【０００８】
請求項２記載の発明では、表示手段付の電話機において、伝言文字情報の入力を行う入力手段と、外部から電話回線を介して送信された伝言文字情報を検出する検出手段と、入力手段で入力された伝言文字情報または検出手段で検出された伝言文字情報を伝言文字情報記憶手段に記憶させるとともに表示手段に表示させる伝言制御手段と、を備え、外部から電話回線を介して送信される伝言文字情報は、メールタイトルまたはメール本文中に特定の文字列を含むメール情報であり、検出手段は、受信メールのメールタイトルまたは本文中の文字列が予め設定された伝言用文字列と一致するとき、メール本文またはメールタイトルまたはメール添付文字情報を伝言文字情報とするようにしたこと、を特徴としている。
【０００９】
請求項３、４記載の発明では、伝言制御手段は、表示手段に伝言表示中に、新たに入力手段で伝言文字情報が入力されるか、または検出手段で新たな伝言文字情報が検出されると、伝言文字情報記憶手段に上書きして記憶させるとともに、表示手段にそれまで表示されていた伝言文字情報を消去し、代わりに今回の伝言文字情報を表示させるようにしたこと、を特徴としている。
【００１０】
請求項５記載の発明では、表示手段付の電話機において、伝言文字情報の入力を行う入力手段と、外部から電話回線を介して送信された伝言文字情報を検出する検出手段と、入力手段で入力された伝言文字情報または検出手段で検出された伝言文字情報を伝言文字情報記憶手段に記憶させるとともに表示手段に表示させる伝言制御手段と、を備え、表示手段は、待ち受け時に所定の待ち受け画面を表示可能であり、伝言制御手段は、伝言文字情報記憶手段に表示すべき伝言文字情報がないときは待ち受け時に表示手段に所定の待ち受け画面を表示させ、伝言文字情報記憶手段に表示すべき伝言文字情報があるときは、待ち受け時に表示手段に所定の待ち受け画面に代えてまたは所定の待ち受け画面の一部の上に重ねて伝言文字情報を表示させる伝言制御手段と、を備えたことを特徴としている。
【００１１】
請求項６記載の発明では、伝言確認操作を行う伝言確認操作手段を設け、伝言制御手段は、表示手段に伝言表示中に伝言確認操作がされると、表示手段にそれまで表示されていた伝言文字情報を消去し、所定の待ち受け画面を表示させること、を特徴としている。
【００１２】
請求項７、８記載の発明では、伝言確認操作を行う伝言確認操作手段を設け、伝言制御手段は表示手段に伝言文字情報を表示してから伝言確認操作がされるまでの間、光または音で伝言文字情報の存在を告知するようにしたこと、を特徴としている。
【００１３】
請求項９、１０記載の発明では、伝言確認操作を行う伝言確認操作手段と、伝言文字情報を音声合成により音声に変換して出力する音声合成手段と、を設け、伝言制御手段は伝言確認操作がされると、表示中の伝言文字情報を音声合成手段により音声で出力させるようにしたこと、を特徴としている。
【００１４】
請求項１１記載の発明では、表示手段付の電話機において、伝言文字情報の入力を行う入力手段と、外部から電話回線を介して送信された伝言文字情報を検出する検出手段と、入力手段で入力された伝言文字情報または検出手段で検出された伝言文字情報を伝言文字情報記憶手段に記憶させるとともに表示手段に表示させる伝言制御手段と、伝言確認操作を行う伝言確認操作手段と、伝言確認応答先電話番号を記憶した伝言確認応答情報記憶手段と、を設け、伝言制御手段は伝言確認操作がされると、伝言確認応答情報記憶手段に記憶された伝言確認応答先電話番号に自動発信させるようにしたこと、を特徴としている。
【００１５】
請求項１２記載の発明では、伝言確認応答情報記憶手段には伝言確認応答先電話番号とともに所定の伝言確認応答メッセージを記憶しておき、伝言制御手段は伝言確認操作がされると、伝言確認応答情報記憶手段に記憶された伝言確認応答先電話番号に自動発信させ、通話状態になったあと所定の伝言確認応答メッセージを音声出力するようにしたこと、を特徴としている。
【００１６】
請求項１３記載の発明では、表示手段付の電話機において、伝言文字情報の入力を行う入力手段と、外部から電話回線を介して送信された伝言文字情報を検出する検出手段と、入力手段で入力された伝言文字情報または検出手段で検出された伝言文字情報を伝言文字情報記憶手段に記憶させるとともに表示手段に表示させる伝言制御手段と、伝言確認操作を行う伝言確認操作手段と、伝言確認応答メール情報を記憶した伝言確認応答情報記憶手段と、を設け、伝言制御手段は伝言確認操作がされると、伝言確認応答情報記憶手段に記憶された伝言確認応答メールを自動発信させるようにしたこと、を特徴としている。
【００１７】
請求項１４記載の発明では、表示手段付の電話機において、伝言文字情報の入力を行う入力手段と、外部から電話回線を介して送信された伝言文字情報を検出する検出手段と、入力手段で入力された伝言文字情報または検出手段で検出された伝言文字情報を伝言文字情報記憶手段に記憶させるとともに表示手段に表示させる伝言制御手段と、伝言確認操作を行う伝言確認操作手段を設け、伝言制御手段は、表示手段に伝言表示中に、新たに文字入力手段で伝言文字列が入力されるか、または検出手段で新たな伝言文字情報が検出されると、伝言文字情報記憶手段に追加して記憶させるとともに表示手段にそれまで表示されていた伝言文字情報に上書きして新たな伝言文字情報を表示させ、伝言確認操作がされる度に、表示手段にそれまで表示されていた伝言文字情報を消去し、次に新しい伝言文字情報を表示させるようにしたこと、を特徴としている。
【００１８】
請求項１５記載の発明では、表示手段付の電話機において、外部から電話回線を介して送信された伝言情報を検出する検出手段と、検出手段で検出された伝言情報を伝言情報記憶手段に記憶させるとともに表示手段に表示させる伝言制御手段と、を備え、外部から電話回線を介して送信される伝言情報は、特定の送信元メールアドレスからのメール情報であり、検出手段は、受信メールの送信元メールアドレスが予め設定された伝言用メールアドレスと一致するとき、メール本文またはメールタイトルまたはメール添付情報を伝言情報とするようにしたこと、を特徴としている。
【００２２】
請求項１６記載の発明では、表示手段付の電話機において、外部から電話回線を介して送信された伝言情報を検出する検出手段と、検出手段で検出された伝言情報を伝言情報記憶手段に記憶させるとともに表示手段に表示させる伝言制御手段と、を備え、外部から電話回線を介して送信される伝言情報は、メールタイトルまたはメール本文中に特定の文字列を含むメール情報であり、検出手段は、受信メールのメールタイトルまたは本文中の文字列が予め設定された伝言用文字列と一致するとき、メール本文またはメールタイトルまたはメール添付情報を伝言情報とするようにしたこと、を特徴としている。
【００２３】
請求項１７、１８記載の発明では、伝言制御手段は、表示手段に伝言表示中に検出手段で新たな伝言情報が検出されると、伝言情報記憶手段に上書きして記憶させるとともに、表示手段にそれまで表示されていた伝言情報を消去し、代わりに今回の伝言情報を表示させるようにしたこと、を特徴としている。
【００２４】
請求項１９記載の発明では、表示手段付の電話機において、外部から電話回線を介して送信された伝言情報を検出する検出手段と、検出手段で検出された伝言情報を伝言情報記憶手段に記憶させるとともに表示手段に表示させる伝言制御手段と、を備え、表示手段は、待ち受け時に所定の待ち受け画面を表示可能であり、伝言制御手段は、伝言情報記憶手段に表示すべき伝言情報がないときは待ち受け時に表示手段に所定の待ち受け画面を表示させ、伝言情報記憶手段に表示すべき伝言情報があるときは、待ち受け時に表示手段に所定の待ち受け画面に代えてまたは所定の待ち受け画面の一部の上に重ねて伝言情報を表示させる伝言制御手段と、を備えたことを特徴としている。
【００２５】
請求項２０記載の発明では、伝言確認操作を行う伝言確認操作手段を設け、伝言制御手段は、表示手段に伝言表示中に伝言確認操作がされると、表示手段にそれまで表示されていた伝言情報を消去し、所定の待ち受け画面を表示させること、を特徴としている。
【００２６】
請求項２１、２２記載の発明では、伝言確認操作を行う伝言確認操作手段を設け、伝言制御手段は表示手段に伝言情報を表示してから伝言確認操作がされるまでの間、光または音で伝言情報の存在を告知するようにしたこと、を特徴としている。
【００２７】
請求項２３、２４記載の発明では、伝言情報は文字情報であり、伝言確認操作を行う伝言確認操作手段と、伝言情報を音声合成により音声に変換して出力する音声合成手段と、を設け、伝言制御手段は伝言確認操作がされると、表示中の伝言情報を音声合成手段により音声で出力させるようにしたこと、を特徴としている。
【００２８】
請求項２５記載の発明では、表示手段付の電話機において、外部から電話回線を介して送信された伝言情報を検出する検出手段と、検出手段で検出された伝言情報を伝言情報記憶手段に記憶させるとともに表示手段に表示させる伝言制御手段と、伝言確認操作を行う伝言確認操作手段と、伝言確認応答先電話番号を記憶した伝言確認応答情報記憶手段と、を設け、伝言制御手段は伝言確認操作がされると、伝言確認応答情報記憶手段に記憶された伝言確認応答先電話番号に自動発信させるようにしたこと、を特徴としている。
【００２９】
請求項２６記載の発明では、伝言確認応答情報記憶手段には伝言確認応答先電話番号とともに所定の伝言確認応答メッセージを記憶しておき、伝言制御手段は伝言確認操作がされると、伝言確認応答情報記憶手段に記憶された伝言確認応答先電話番号に自動発信させ、通話状態になったあと所定の伝言確認応答メッセージを音声出力するようにしたこと、を特徴としている。
【００３０】
請求項２７記載の発明では、表示手段付の電話機において、外部から電話回線を介して送信された伝言情報を検出する検出手段と、検出手段で検出された伝言情報を伝言情報記憶手段に記憶させるとともに表示手段に表示させる伝言制御手段と、伝言確認操作を行う伝言確認操作手段と、伝言確認応答メール情報を記憶した伝言確認応答情報記憶手段と、を設け、伝言制御手段は伝言確認操作がされると、伝言確認応答情報記憶手段に記憶された伝言確認応答メールを自動発信させるようにしたこと、を特徴としている。
【００３１】
請求項２８記載の発明では、表示手段付の電話機において、外部から電話回線を介して送信された伝言情報を検出する検出手段と、検出手段で検出された伝言情報を伝言情報記憶手段に記憶させるとともに表示手段に表示させる伝言制御手段と、伝言確認操作を行う伝言確認操作手段と、を設け、伝言制御手段は、表示手段に伝言表示中に検出手段で新たな伝言情報が検出されると、伝言情報記憶手段に追加して記憶させるとともに表示手段にそれまで表示されていた伝言情報に上書きして新たな伝言情報を表示させ、伝言確認操作がされる度に、表示手段にそれまで表示されていた伝言情報を消去し、次に新しい伝言情報を表示させるようにしたこと、を特徴としている。
【００３２】
【発明の実施の形態】
次に、本発明の第１の実施の形態を図１を参照して説明する。図１は本発明に係る親子式の固定電話機の親機の構成を示すブロック図である。
１は電話回線、１０は家庭に設置された固定電話機の親機であり、電話回線１を介して局側と接続されている。図３の１００は子機であり、親機１０と無線回線（ここでは上りと下りが異なる周波数で独立した回線となっており、かつ、上り、下りともに音声信号とデータを時分割多重して送受するものとする）で繋がっており、外部との通話は親機１０を通じてなされる。
【００３３】
親機１０の内、１１は回線制御部であり、オフフック、オンフック、電話回線１の側へのダイヤルトーン信号出力、通話状態下での電話回線１の側への送話音声信号の出力と電話回線１の側から受信した受話音声信号の電話機内部への出力等の動作を行う。１２はＤＴＭＦ検出部であり、留守録モード下で通話着信が有り、自動応答で通話状態となったあと、外部から電話回線１と回線制御部１１を介して入力したＤＴＭＦ信号をデコードし、０〜９、＊、＃のキー信号を出力する。
【００３４】
１３はモデム部であり、回線制御部１１と電話回線１を介して局側から受信したモデム信号（ディジタル変調信号）を復調して出力したり、後述するコントロール部から入力したデータをディジタル変調してモデム信号に変換し、局側へ出力する機能を有する。局側からは、データサービスセンタを介して、メールサービス事業者の運用するメールサービスセンタからの受信メールまたは情報提供事業者の運用する情報配信サーバからの例えば、スポーツ情報、株式情報等の配信情報がモデム部１３で受信される。また、コントロール部からは送信メールのデータがモデム部１３へ出力される。
【００３５】
１４は回線制御部１１と接続されて通話着信を検出する通話着信検出部、１５は通話着信音を発生するリンガ部、１６は伝言文字情報の存在を知らせるためのビープ音を発生するビープ音発生部、１７は送受話器、１８は拡声スピーカ、１９は留守録モード下で相手側からの音声メツセージを録音媒体２０に録音したり、留守録モード解除時に録音媒体２０に録音された相手側からの音声メッセージを再生したりする録音・再生部、２１は伝言文字情報等を音声合成して出力する音声合成部、２２は子機１００との間で上りと下りを独立した無線回線で受話音声信号と下りデータ（親機→子機）、送話音声信号と上りデータ（子機→親機）を送受するための無線送受信部である。２３は通話路スイッチ部であり、回線制御部１１からの受話音声信号を送受話器１７、拡声スピーカ１８、録音・再生部１９、無線送受信部２２へ切り替え出力したり、送受話器１７または音声合成部２１から出力された送話音声信号を回線制御部１１へ切り替え出力したり、録音・再生部１９から出力された音声メッセージ信号または音声合成部２１から出力された音声合成信号を拡声スピーカ１８の側へ切り替え出力したりする。
【００３６】
２４はメモリ部であり、留守録用メッセージ文記憶領域２５、固定伝言文字情報記憶部２６、表示対象の伝言文字情報を１つ記憶可能な表示対象伝言文字情報記憶領域２７、受信メールの内、伝言文字情報として扱う受信メールの送信元メールアドレスを記憶した第１伝言管理情報記憶領域２８、受信メールの内、伝言文字情報として扱う受信メールのメールタイトル中またはメール本文中の文字列を記憶した第２伝言管理情報記憶領域２９、受信配信情報の内、伝言文字情報として扱う受信配信情報の送信元アドレスを記憶した第３伝言管理情報記憶領域３０、伝言確認応答を電話で行うための伝言確認応答用電話番号と伝言確認応答用メッセージ文情報、例えば「伝言見た。了解。」を組で記憶可能な第１伝言確認応答情報記憶領域３１と、伝言確認応答をメールで行うための伝言確認応答用送信先メールアドレスと、伝言確認応答用件名、例えば「了解。」と、伝言確認応答用メール本文、例えば「伝言見たよ。」を組で記憶可能な第２伝言確認応答情報記憶領域３２を有している。留守録用メッセージ文記憶領域２５には、留守録モード下で通話着信があったときに、自動着信応答後送出される「ただいま留守にしています。ピー音の後にメッセージを吹き込んで下さい。」のメッセージ文と、留守録モード解除時に、相手先音声メッセージが無いときに送出される「メッセージは有りません」のメッセージ文が記憶されている。固定伝言文字情報記憶部２６には、外部からＤＴＭＦ信号で指定される番号１〜４と対応付けた４種類の固定伝言文字情報（１・・「出掛けています。１７時頃戻ります。」、２・・「出掛けています。１８時頃戻ります。」、３・・「出掛けています。１９時頃戻ります。」、４・・「出掛けています。２０時頃戻ります。」）が記憶されている（図２参照）。
【００３７】
３３はＬＣＤ表示部であり、待ち受け画面（日時）、通話中画面（相手先電話番号）、伝言板画面（伝言文字情報と確認用の「ＯＫ」ボタン）等を切り替えて表示する。３４はＬＣＤ表示部３３のバックライトであり、通話中画面と伝言板画面の表示中に点灯して表示情報を目立たせる。３５はＬＣＤ表示部３３に組み込まれたタッチキーであり、伝言板画面の「ＯＫ」ボタンに対応する。３６はフックスイッチであり、送受話器１７が持ち上げられるとスイッチが閉じ、下げられるとスイッチが開く。３７は操作部であり、ダイヤルキー、文字・数字・記号キー、クリアキー、カーソルキー、確定キー、留守録モード設定キー、留守録モード解除キー、伝言板機能の設定・解除、伝言管理情報の登録、伝言確認応答情報の登録等を行うためのメニューキー等を有する。
【００３８】
３８はマイコン構成のコントロール部であり、回線制御部１１に対する通話接続制御と通話切断制御、リンガ部１５の駆動制御、ＬＣＤ表示部３３に対する表示制御、バックライト３４に対する点灯制御、留守録モードのオン・オフ、録音・再生部１９に対する録音・再生制御、音声合成部２１に対する音声合成制御、子機１００への着信制御、子機１００からの発信制御を行うほか、伝言板機能が設定された状態で操作部３７または子機１００の側で入力された伝言文字情報の表示、通話状態で受信したＤＴＭＦ信号に対する伝言文字情報の検出及び表示と子機１００の側への転送、メールまたは配信情報の受信制御と伝言文字情報の検出及び表示と子機１００の側への転送、伝言確認操作に伴う表示切り替えと伝言確認応答処理等、各種制御処理を実行する。
【００３９】
図３は子機１００の構成図であり、１０１は無線送受信部であり、親機１０との間で、上りと下り独立して受話音声信号と下りデータ、送話音声信号と上りデータを無線で送受する。１０２と１０３は受話スピーカと送話マイク、１０４は通話着信音を発生するリンガ部、１０５は伝言文字情報の存在を知らせるためのビープ音を発生するビープ音発生部、１０６は操作部であり、オフフックキー、オンフックキー、文字・数字・記号キー、クリアキー、カーソルキー、確定キー、伝言板機能の設定・解除等を行うためのメニューキー等を有する。１０７はメモリ部であり、表示対象の伝言文字情報を記憶可能となっている。１０８はＬＣＤ表示部であり、待ち受け画面（日時）、通話中画面（相手先電話番号と通話経過時間）、伝言板画面（伝言文字情報と確認用の「ＯＫ」ボタン）等を切り替えて表示する。１０９はＬＣＤ表示部１０８のバックライトであり、通話中画面と伝言板画面の表示中に点灯して表示情報を目立たせる。１１０はＬＣＤ表示部１０８に組み込まれたタッチキーであり、伝言板画面の「ＯＫ」ボタンに対応する。
【００４０】
１１１はマイコン構成のコントロール部であり、オンフックキーまたはオフフックキーの操作に伴う親機１０に対する通話発信制御または通話着信応答制御、リンガ部１０４の駆動制御、ビープ音発生部１０５の駆動制御、ＬＣＤ表示部１０８に対する表示制御、伝言管理情報と伝言確認応答情報の登録、バックライト１０９に対する点灯制御、親機１０から受信した伝言文字情報の記憶及び表示、伝言板機能が設定された状態で操作部１０６で入力された伝言文字情報の表示、伝言確認操作に伴う表示切り替え等、各種制御処理を実行する。
【００４１】
次に上記した実施の形態の動作を図４〜図６を参照して説明する。
なお、メモリ部２４の第１〜第３伝言管理情報記憶領域２８〜３０と、第１、第２伝言確認応答情報記憶領域３１、３２には何も登録されていないものとする。
（１）留守録モード解除状態、伝言板機能解除状態での待ち受け
親機１０のコントロール部３８はＬＣＤ表示部３３に現在の日時を含む待ち受け画面を表示させ、バックライト３４は消灯させている（図４（１）参照）。そして、送受話器１７が持ち上げられてフックスイッチ３６が閉じたか、通話着信検出部１４で外部からの通話着信が検出されたか、子機１００の側から無線送受信部２２を介してオフフック信号または伝言板機能設定信号が入力されたか、モデム部１３からデータ入力が有るか、操作部３７で留守録モード設定キーが操作されたか、またはメニューキーが操作されたか監視する。また、子機１００のコントロール部１１１はＬＣＤ表示部１０８に日時を含む待ち受け画面を表示させ、バックライト１０９は消灯させている。そして、操作部１０６のオフフックキーまたはメニューキーが操作されたか、親機１０の側から無線送受信部１０１を介して通話着信信号または伝言文字情報が入力されたか監視する。
【００４２】
（２）伝言管理情報の登録
家人の例えばお母さん（Ａ）が特定の送信元メールアドレスによりメール送信した文字情報を伝言文字情報として自動的に画面表示させ、子供（Ｂ）宛てに伝言を伝えたい場合、送信元メールアドレスの登録をしておく。操作部３７でメニューキーを操作すると、コントロール部３８はＬＣＤ表示部３３の待ち受け画面に代えてメニューリストを表示させる（図５（１）参照）。伝言管理情報にカーソルを合わせ確定キーを押すと、コントロール部３８は受信メールを伝言文字情報として扱う送信元メールアドレスを入力するための第１入力欄＃１、受信メールを伝言文字情報として扱うメールタイトルまたはメール本文中の文字列（キーワード）を入力するための第２入力欄＃２、受信配信情報を伝言文字情報として扱う送信元アドレスを入力するための第３入力欄＃３を表示させる（図５（２）参照）。メモリ部２４の第１〜第３伝言管理情報記憶領域２８〜３０のいずれかに既に登録済の情報が有る場合、対応する入力欄に表示させる（ここでは登録済の情報は無いのでいずれも空欄）。そして、文字・数字・記号キー、カーソルキー、クリアキーと確定キーを用いて第１入力欄に送信元メールアドレス△×・・・○を入力し、確定キーを操作すると、コントロール部３８は入力済の第１入力欄＃１の入力情報をメモリ部２４の対応する第１伝言管理情報記憶領域２８に記憶させる。なお、第１〜第３入力欄＃１〜＃３はいずれか１つしか入力できず、例えば、第１入力欄に入力済の状態で、第２入力欄に或る文字・数字・記号を入力すると、第１入力欄はクリアされる。よって、第１〜第３伝言管理情報記憶領域２８〜３０の内、２つは常に登録情報が無い。
【００４３】
（３）伝言確認応答情報の登録
子供（Ｂ）が伝言文字情報を確認後、お母さん（Ａ）に確認した旨を電話で自動的に通知できるようにしたい場合、伝言確認応答用電話番号（例えば、Ａ所持の携帯電話、ＰＨＳ等）と、電話での伝言確認応答用メッセージ文を登録しておく。操作部３７でメニューキーを操作し、メニューリストを表示させ（図５（１）参照）、伝言確認応答情報にカーソルを合わせ確定キーを押すと、コントロール部３８は伝言確認応答用電話番号を入力するための第１入力欄＊１、電話での伝言確認応答用メッセージ文を入力するための第２入力欄＊２、伝言確認応答をメールで行わせる場合の送信先メールアドレスを入力するための第３入力欄＊３、伝言確認応答用メールのメールタイトルを入力するための第４入力欄＊４、伝言確認応答用メールのメール本文を入力するための第５入力欄＊５を表示させる（図６（１）参照）。メモリ部２４の第１、第２伝言確認応答情報記憶領域３１、３２のいずれかに既に登録済の情報が有る場合、対応する入力欄に表示させる（ここでは登録済の情報は無いのでいずれも空欄）。そして、第１入力欄＊１に伝言確認応答用電話番号０９０△・・□○を入力し、第２入力欄＊２に伝言確認応答用メッセージ文、例えば「伝言見た。了解。」を入力し、確定キーを操作すると、コントロール部３８は情報が入力された第１、第２入力欄＊１、＊２の入力情報をメモリ部２４の対応する第１伝言確認応答情報記憶領域３１に記憶させる。なお、第１、第２入力欄＊１、＊２の組と、第３〜第５入力欄＊３〜＊５の組のいずれか一方しか入力できず、例えば、第１または第２入力欄に入力済の状態で、第３〜第５入力欄のいずれかに或る文字・数字・記号を入力すると、第１、第２入力欄はクリアされる。よって、第１、第２伝言確認応答情報記憶領域３１、３２の内、１つは常に登録情報が無い。
【００４４】
（４）伝言板機能の設定
お母さん（Ａ）が外出するため、まだ家に帰っていない子供（Ｂ）に帰宅予定時間の伝言を残したい場合、待ち受け状態で操作部３７でメニューキーを操作し、メニューリストを表示させ（図５（１）参照）、伝言板設定にカーソルを合わせ、確定キーを押して選択する。するとコントロール部３８はＬＣＤ表示部３３に伝言文字情報の入力欄を表示し、例えば「買物へ行ってきます。帰りは１７時ごろになります。」を入力し、確定キーを操作すると、コントロール部３８は伝言板機能をオンし、入力情報をメモリ部２４の表示対象伝言文字情報記憶領域２７に記憶させ、ＬＣＤ表示部３３に待ち受け画面に代えて今回入力された伝言文字情報を表示させ、かつバックライト３４を点灯させて目立たせ（図４（２）参照）、ビープ音発生部１６を駆動制御してビープ音を発生させて音でも伝言が有ることを強調する。また、コントロール部３８は、今回の伝言文字情報を無線送受信部２２を介して子機１００の側に送信する。子機１００の側では無線送受信部１０１から伝言文字情報を入力したコントロール部１１１は、メモリ部１０７に記憶させ、伝言板機能をオンし、ＬＣＤ表示部１０８に待ち受け画面に代えて今回入力された伝言文字情報を表示させ（図４（２）参照）、かつバックライト１０９を点灯させて目立たせ、、ビープ音発生部１０５を駆動制御してビープ音を発生させて音でも伝言が有ることを強調する。
【００４５】
伝言板機能の設定は子機１００の側で行うこともできる。待ち受け状態で操作部１０６でメニューキーを操作し、メニューリストを表示させ（図５（１）参照）、伝言板設定にカーソルを合わせ、確定キーを押して選択する。するとコントロール部１１１は伝言文字情報の入力欄を表示し、例えば「買物へ行ってきます。帰りは１７時ごろになります。」を入力し、確定キーを操作すると、コントロール部１１１は伝言板機能をオンし、入力情報をメモリ部１０７に記憶させ、ＬＣＤ表示部１０８に待ち受け画面に代えて今回入力された伝言文字情報を表示させ（図４（２）参照）、かつバックライト１０９を点灯させて目立たせ、ビープ音発生部１０５を駆動制御してビープ音を発生させて音でも伝言が有ることを強調する。また、コントロール部１１１は、今回の伝言文字情報を無線送受信部１０１を介して親機１０の側に送信する。親機１０の側では無線送受信部２２から伝言文字情報を入力したコントロール部３８は、メモリ部２４の伝言文字情報記憶領域２７に記憶させ、伝言板機能をオンし、ＬＣＤ表示部３３に待ち受け画面に代えて今回入力された伝言文字情報を表示させ（図４（２）参照）、かつバックライト３４を点灯させて目立たせ、ビープ音発生部１６を駆動制御してビープ音を発生させて音でも伝言が有ることを強調する。
【００４６】
（５）伝言板確認
家に帰った子供（Ｂ）は親機１０または子機１００を見れば、とくに操作をしなくても待ち受け画面に代えて伝言板表示になっていることから伝言が有ることが判る。親機１０または子機１００を見なくても、ビープ音の発生、ＬＣＤ表示部３３のバックライト３４と、ＬＣＤ表示部１０８のバックライト１０９の点灯によって伝言の存在を知ることができ、すぐに確認できる。
伝言を確認したあと、子供（Ｂ）が親機１０の画面のＯＫボタン３３Ａに対応するタッチキー３５をタッチし、伝言確認操作をすると、コントロール部３８は通話路スイッチ部２３を制御し、音声合成部２１の出力側を拡声スピーカ１８と接続したあと、メモリ部２４の伝言文字情報記憶領域２７の伝言文字情報「買物へ行ってきます。帰りは１７時ごろになります。」を読み出し、音声合成部２１へ出力して音声合成させて音でも伝言が判るようにする。そして、伝言板機能を解除し、ＬＣＤ表示部３３を伝言文字情報の表示画面から待ち受け画面の表示に戻し、バックライト３４を消灯させ、ビープ音発生部１６の駆動を停止し、ビープ音を停止させる。コントロール部３８は、伝言確認信号を無線送受信部２２を介して子機１００の側に送信し、伝言確認信号を入力したコントロール部１１１は伝言板機能を解除し、ＬＣＤ表示部１０８を伝言文字情報の表示画面から待ち受け画面の表示に戻し、バックライト１０９を消灯させ、ビープ音発生部１０５の駆動を停止し、ビープ音を停止させる。
【００４７】
若し、伝言を確認したあと、子供（Ｂ）が子機１００の画面のＯＫボタン（図示せず）に対応するタッチキー１１０をタッチし、伝言確認操作をすると、コントロール部１１１は伝言板機能を解除し、ＬＣＤ表示部１０８を伝言文字情報の表示画面から待ち受け画面の表示に戻し、バックライト１０９を消灯させ、ビープ音発生部１０５の駆動を停止し、ビープ音を停止させる。そして伝言確認信号を無線送受信部１０１を介して親機１０の側に送信し、伝言確認信号を入力したコントロール部３８は伝言板機能を解除し、ＬＣＤ表示部３３を伝言文字情報の表示画面から待ち受け画面の表示に戻し、バックライト３４を消灯させ、ビープ音発生部１６の駆動を停止し、ビープ音を停止させる。
【００４８】
（６）伝言確認応答
コントロール部３８は伝言板機能を解除すると、メモリ部２４の第１伝言確認応答情報記憶領域３１の伝言確認応答用電話番号を参照して、回線制御部１１を制御し、オフフックと伝言確認応答用電話番号に対応するダイヤルトーン信号の送出をさせて自動ダイヤル発信させる。そして、お母さん（Ａ）が携帯電話に出て、回線制御部１１で相手側が着信応答したことが検出されて着信応答検出信号が入力されると、コントロール部３８は、通話路スイッチ部２３を制御し、音声合成部２１の出力側を回線接続部１１の送話音声信号入力側と接続させ、メモリ部２４の第１伝言確認応答情報記憶領域３１の伝言確認応答用メッセージ文「伝言見た。了解。」を読み出し、音声合成部２１へ出力して音声合成させて相手方に送出させ、回線制御部１１を制御し、オンフックさせて待ち受け状態に戻る。これにより、伝言を残したお母さん（Ａ）は子供（Ｂ）が伝言を確認したことを知ることができる。
【００４９】
若し、第２伝言確認応答情報記憶領域３２に伝言確認応答をメールで行わせる場合の伝言確認応答用送信先メールアドレス（お母さん（Ａ）の携帯電話宛）、伝言確認応答用メールタイトル（「伝言見た。」）、伝言確認応答用メール本文（「伝言、了解しました。」）が登録されていたとき、コントロール部３８は伝言板機能を解除すると、回線制御部１１を制御し、オフフックと所定のメールサービスセンタに対応するダイヤルトーン信号の送出をさせて自動ダイヤル発信させる。そして、回線制御部１１で相手側が着信応答したことが検出されて着信応答検出信号が入力されると、まずモデム部１３によりメールサービスセンタとの間でメール送信開始のためのモデムネゴシエーションを行わせ、続いてモデム部１３に伝言確認応答用送信先メールアドレス宛で伝言確認応答用メールタイトルと伝言確認応答用メール本文を含むメール情報を出力し、メールサービスセンタ宛に送信させる。送信後、モデム部１３によりメールサービスセンタとの間でメール送信終了のためのモデムネゴシエーションを行わせ、回線制御部１１を制御し、オンフックさせて待ち受け状態に戻る。これにより、伝言を残したお母さん（Ａ）は携帯電話宛のメールを読むことで子供（Ｂ）が伝言を確認したことを知ることができる。
【００５０】
（７）外からの伝言板機能設定・・ＤＴＭＦ
お母さん（Ａ）が外出する際、伝言板機能の設定操作はしなかったが、親機１０の操作部３７で留守録モード設定キーを押したとき、コントロール部３８は留守録モードとなっている。
外出先で、子供（Ｂ）宛の伝言を伝言板機能で行いたい場合、例えば携帯電話から親機１０宛に電話を掛ける。通話着信が有り、通話着信検出部１４で検出されるとコントロール部３８は留守録応答し、回線制御部１１を制御してオフフックさせ、通話路スイッチ部２３を制御し、音声合成部２１と回線制御部１１とを接続させる。そして、メモリ部２４の留守録用メッセージ文記憶領域２５の「ただいま留守にしています。ピー音の後にメッセージを吹き込んで下さい。」を読み出し、音声合成部２１へ出力して音声合成させて相手方に送出させ、更に音声合成部２１により「ピー」の音を音声合成させて相手方に送出させる。
【００５１】
留守録応答による通話状態下において、お母さん（Ａ）が１番目の固定伝言文字情報を使用したい場合、まず携帯電話の「３」のキーを押し、次に、「１」のキーを押す。そして、オンフック操作をする。「３」と「１」に対応するＤＴＭＦ信号が送信されると、親機１０のＤＴＭＦ検出部１２で検出され、「３」と「１」のキー信号が出力される。コントロール部３８は通話状態下でＤＴＭＦ信号に基づく「３」のキー信号が入力されると、録音・再生部１９での録音はさせず、それまで伝言板機能が設定されていなければ、伝言板機能をオンする。そして、伝言文字情報検出処理をし、次の「１」のキー信号が入力されたところで、メモリ部２４の固定伝言文字情報記憶領域２６に「１」に該当する番号の固定伝言文字情報が登録されているか検索する。ここでは登録されているので、該当する「出掛けています。１７時頃戻ります。」が入力されたと扱い、該固定伝言文字情報を読み出し、表示対象伝言文字情報記憶領域２７に書き込む。ＬＣＤ表示部３３に待ち受け画面に代えて今回入力された伝言文字情報を表示させ、かつバックライト３４を点灯させて目立たせ、ビープ音発生部１６を駆動制御してビープ音を発生させて音でも伝言が有ることを強調する。また、コントロール部３８は、今回の伝言文字情報を無線送受信部２２を介して子機１００の側に送信する。子機１００の側では無線送受信部１０１から伝言文字情報を入力したコントロール部１１１は、メモリ部１０７に記憶させ、伝言板機能をオンし、ＬＣＤ表示部１０８に待ち受け画面に代えて今回入力された伝言文字情報を表示させ、かつバックライト１０９を点灯させて目立たせ、ビープ音発生部１０５を駆動制御してビープ音を発生させて音でも伝言が有ることを強調する。
これにより、外出先からも簡単な操作で伝言板機能を設定することができる。コントロール部３８は回線制御部１１で相手方のオンフックが検出されると、オンフックさせる。
【００５２】
若し、任意文で伝言したい場合は、留守録応答の通話状態下において、携帯電話の「２」のキーを押す。コントロール部３８は通話状態下でＤＴＭＦ信号に基づく「２」のキー信号が入力されると、それまで伝言板機能が設定されていなければ、伝言板機能をオンする。そして、その後のＤＴＭＦ信号によるキー信号入力をポケットベル入力方式で入力された任意文の伝言文字情報として扱う。ここでポケットベル入力方式とは、ＤＴＭＦ信号による０〜９の１０個の数字を２つ１組にしてかな、アルファベット、１〜０の数字、記号を符号化するものであり、例えば、「あ」は「１１」、Ａは「１６」、１は「９６」である。コントロール部３８は「２」のキー信号が入力されると、続くキー信号入力から伝言文字情報の検出をし、検出した伝言文字情報を表示対象伝言文字情報記憶領域２７に書き込む。ＬＣＤ表示部３３に待ち受け画面に代えて今回入力された伝言文字情報を表示させ、かつバックライト３４を点灯させて目立たせ、ビープ音発生部１６を駆動制御してビープ音を発生させて音でも伝言が有ることを強調する。また、検出した伝言文字情報を子機１００の側へも出力する。
【００５３】
なお、既に伝言板機能が設定されている状態で、ＤＴＭＦ信号による新たな伝言文字情報（固定または任意文）が検出されたとき、コントロール部３８は既に表示されている伝言文字情報を消去し、新たな伝言文字情報を表示させる。これにより、自宅で伝言板機能を設定し、入力した伝言文字情報の内容から予定が変わった場合でも、外出先からの送信操作で正しい伝言文字情報に変更できる。
【００５４】
（８）外からの伝言板機能設定・・メール
お母さん（Ａ）が外出する際、伝言板機能の設定操作はせず、留守録モードともしなかったが、伝言板機能を設定したい場合、例えば携帯電話から親機１０宛に伝言文字情報をメールタイトルまたはメール本文に含むメールを送信する。メールはメールサービスセンタに一時記憶され、親機１０宛に通信前情報通知サービスによるメール有りの通知がされる。メールサービスセンタからの通知データはモデム部１３で受信され、コントロール部３８に入力される。コントロール部３８はメール有りの通知に基づき、回線制御部１１を制御し、オフフックとメールサービスセンタ宛のダイヤルトーン信号の送出をさせ、メールサービスセンタが着信応答すると、モデム部１３によりメールサービスセンタとの間でメール受信開始のためのモデムネゴシエーションを行わせたあと、メールサービスセンタからの送信メール情報をモデム部１３で受信させ、コントロール部３８に出力される。受信後、モデム部１３によりメールサービスセンタとの間でメール受信終了のためのモデムネゴシエーションを行わせ回線制御部１１を制御し、オンフックさせる。コントロール部３８はモデム部１３から入力した受信メールの送信元メールアドレスをメモリ部２４の第１伝言管理情報記憶領域２８に記憶された送信元メールアドレスと一致するかチェックすることで伝言文字情報の検出をする。ここでは一致したとすると伝言文字情報有りと判断し、伝言板機能をオンし、メールタイトルとメール本文を合わせて伝言文字情報として表示対象伝言文字情報記憶領域２７に書き込む。そして、ＬＣＤ表示部３３に待ち受け画面に代えて今回入力された伝言文字情報を表示させ、かつバックライト３４を点灯させて目立たせ、ビープ音発生部１６を駆動制御してビープ音を発生させて音でも伝言が有ることを強調する。また、入力した伝言文字情報を子機１００の側へも出力する。
【００５５】
これにより、メール送信をするだけで伝言板機能を設定することができる。従来は、メールの受信側で、メールタイトルまたはメール本文を表示させるためには何らかの操作を必要としたが、この実施の形態によれば、親機１０または子機１００でとくに受信メールを開く操作をしなくても自動的に伝言文字情報が表示されるので、伝言が伝わり易い。
コントロール部３８はメール受信後、回線制御部１１をオンフックさせる。
【００５６】
なお、既に伝言板機能が設定されている状態で、メール受信による新たな伝言文字情報が検出されたとき、コントロール部３８は既に表示されている伝言文字情報を消去し、新たな伝言文字情報を表示させる。これにより、自宅で伝言板機能を設定し、検出した伝言文字情報の内容から予定が変わった場合でも、外出先からの送信操作で正しい伝言文字情報に変更できる。但し、ＤＴＭＦ信号の場合と違って、必ずしも留守録モードとしておく必要はない。
【００５７】
また、第１伝言管理情報記憶領域２８でなく第２伝言管理情報記憶領域２９に例えば、「ママ」の如く、受信メールを伝言文字情報と扱うためのキーワードが登録されていた場合、コントロール部３８は、受信メールのメールタイトルまたはメール本文中に第２伝言管理情報記憶領域２９に記憶されたキーワードと一致する文字列が存在するかチェックし、存在するとき伝言板機能をオンし、メールタイトルとメール本文を合わせて伝言文字情報として表示対象伝言文字情報記憶領域２７に書き込む。そして、ＬＣＤ表示部３３に待ち受け画面に代えて今回検出された伝言文字情報を表示させ、かつバックライト３４を点灯させて目立たせ、ビープ音発生部１６を駆動制御してビープ音を発生させて音でも伝言が有ることを強調する。また、今回検出した伝言文字情報を子機１００の側へも出力する。
これにより、送信元メールアドレスの如何に関係なく、メール送信で伝言板機能を設定することもできる。
【００５８】
（９）外からの伝言板機能設定・・情報配信
以上はお母さん（Ａ）が伝言板機能を設定する場合につき説明したが、外部の特定の情報配信サービス事業者から配信情報を受信したとき、伝言板機能を設定して配信情報を表示させることもできる。
予め、第１、第２伝言管理情報記憶領域２８、２９でなく、第３伝言管理情報記憶領域３０に情報配信元アドレスを登録しておく。例えば、スポーツ情報配信事業者の情報配信元アドレスを登録しておいた場合、当該スポーツ情報配信事業者から親機１０宛に文字情報によりスポーツ情報配信がされると、データサービスセンタに一時記憶され、親機１０宛に通信前情報通知サービスによる配信情報有りの通知がされる。データサービスセンタからの通知データはモデム部１３で受信され、コントロール部３８に入力される。コントロール部３８は配信情報有りの通知に基づき、回線制御部１１を制御し、オフフックとデータサービスセンタ宛のダイヤルトーン信号の送出をさせ、データサービスセンタが着信応答すると配信情報要求を行う。データサービスセンタからの配信情報はモデム部１３で受信され、コントロール部３８に入力される。コントロール部３８は、受信配信情報の送信元アドレスをメモリ部２４の第３伝言管理情報記憶領域３０に記憶された送信元アドレスと一致するかチェックして伝言文字情報を検出する。ここでは一致したとすると伝言文字情報有りと判断し、伝言板機能をオンし、受信配信情報を伝言文字情報として表示対象伝言文字情報記憶領域２７に書き込む。そして、ＬＣＤ表示部３３に待ち受け画面に代えて今回検出された伝言文字情報を表示させ、かつバックライト３４を点灯させて目立たせ、ビープ音発生部１６を駆動制御してビープ音を発生させて音でも伝言が有ることを強調する。また、検出した伝言文字情報を子機１００の側へも出力する。
コントロール部３８は配信情報受信後、回線制御部１１をオンフックさせる。
【００５９】
これにより、配信情報を受信したとき伝言板機能を設定して、自動表示させることができ、特別な操作をしなくても興味の有る情報をいち早く知ることができる。
なお、既に伝言板機能が設定されている状態で、配信情報による新たな伝言文字情報が入力されたとき、コントロール部３８は既に表示されている伝言文字情報を消去し、新たな伝言文字情報を表示させる。必ずしも留守録モードとしておく必要がないことは、メール受信の場合と同様である。
【００６０】
（１０）通常の通話発信、通話着信
ユーザが親機１０で電話を掛けたい場合、待ち受け状態で送受話器１７を持ち挙げると、フックスイッチ３６が開き、コントロール部３８は回線制御部１１を制御してオフフックさせるとともに、操作部３７での相手先電話番号のダイヤル操作に従いダイヤルトーン信号を送出させる。この際、伝言板機能が解除していればＬＣＤ表示部３３に相手先電話番号を表示させるとともに、バックライト３４を点灯させる。伝言板機能が解除していなければ、ＬＣＤ表示部３３の伝言情報表示を一時的に消して相手先電話番号を一時的に表示させたあと、元の伝言情報表示状態に戻す。そして、通話路スイッチ部２３を制御して回線制御部１１と送受話器１７を接続する。相手側が電話に出れば通話状態となり、通話後、送受話器１７を下げると、フックスイッチ３６が閉じ、コントロール部３８は回線制御部１１を制御してオンフックさせ、通話切断させる。そして、伝言板機能が解除していればＬＣＤ表示部３３を元の待ち受け画面に戻し、バックライト３４を消灯させる。
【００６１】
若し、子機１００で電話を掛けたい場合、操作部１０６でオフフックキーとダイヤルキーを操作すると、コントロール部１１１はオフフック信号とダイヤルキー信号を無線送受信部１０１、２２を介して親機１０のコントロール部３８に出力し、この際、伝言板機能が解除していればＬＣＤ表示部１０８に相手先電話番号を表示させるとともに、バックライト１０９を点灯させる。伝言板機能が解除していなければ、ＬＣＤ表示部１０８の伝言情報表示を一時的に消して相手先電話番号を一時的に表示させたあと、元の伝言情報表示状態に戻す。そして、コントロール部３８は回線制御部１１を制御してオフフックさせるとともに、ダイヤルトーン信号を送出させる。この際、伝言板機能が解除していればＬＣＤ表示部３３に「子機使用中」を表示させるとともに、バックライト３４を点灯させる。伝言板機能が解除していなければ、ＬＣＤ表示部３３の伝言情報表示を一時的に消して「子機使用中」を一時的に表示させたあと、元の伝言情報表示状態に戻す。そして、通話路スイッチ部２３を制御して回線制御部１１と無線送受信部２２を接続する。相手側が電話に出れば通話状態となり、子機１００の受話スピーカ１０２、送話マイク１０３で通話できる。通話後、子機１００の操作部１０６でオンフックキーを操作すると、コントロール部１１１はオンフック信号を親機１０へ出力し、伝言板機能が解除していればＬＣＤ表示部１０８を元の待ち受け画面に戻し、バックライト１０９を消灯させる。コントロール部３８は回線制御部１１を制御してオンフックさせ、通話切断させる。ＬＣＤ表示部３３を元の待ち受け画面に戻し、バックライト３４を消灯させる。
【００６２】
留守録モードオフ下の待ち受け状態で相手側から通話着信が有り、通話着信検出部１４で検出されると、コントロール部３８はリンガ部１５を駆動制御して呼出し音を鳴らし、また、通話着信検出信号を子機１００の側に送信させる。子機１００のコントロール部１１１はリンガ部１０４を駆動制御して呼出し音を鳴らす。親機１０で送受話器１７を持ち上げれば、フックスイッチ３６が開き、コントロール部３８は回線制御部１１に対しオフフック制御をし、通話状態とさせ、ＬＣＤ表示部３３の画面（伝言板機能がオンしているときは、伝言文字情報とＯＫボタンが隠れない位置）に通話経過時間を表示させるとともに、バックライト３４を点灯させる。また、通話路スイッチ部２３を制御して回線制御部１１と送受話器１７を接続する。若し、子機１００でオフフックキーを操作したときは、コントロール部１１１はオフフック信号を親機１０に出力し、この際、ＬＣＤ表示部１０８の画面（伝言板機能がオンしているときは、伝言文字情報とＯＫボタンが隠れない位置）に通話経過時間を表示させるとともに、バックライト１０９を点灯させる。コントロール部３８は回線制御部１１を制御してオフフックさせて通話状態とさせ、この際、伝言板機能が解除していればＬＣＤ表示部３３に「子機使用中」を表示させるとともに、バックライト３４を点灯させる。伝言板機能が解除していなければ、ＬＣＤ表示部３３の伝言情報表示を一時的に消して「子機使用中」を一時的に表示させたあと、元の伝言情報表示状態に戻す。そして、通話路スイッチ部２３を制御して回線制御部１１と無線送受信部２２を接続する。相手側が電話に出れば通話状態となり、子機１００の受話スピーカ１０２、送話マイク１０３で通話できる。
【００６３】
この実施の形態によれば、電話機で伝言板機能を実現でき、親機１０のＬＣＤ表示部３３、子機１００のＬＣＤ表示部１０８に伝言板機能をオンして待ち受け画面の代わりに伝言文字情報を表示させておき、帰宅した家人が特別な呼出し操作をしなくても一目で簡単に伝言を知ることが可能とできる。伝言板機能の設定と伝言文字情報の入力は伝言者が外出する前に親機１０または１００で行えるが、外部からもＤＴＭＦ信号送信、メール送信などにより、遠隔で入力できるので、急な予定変更があっても正しい情報を伝えることができる。また、配信情報を受信したときに伝言表示させることで、スポーツ情報、株式情報等、興味有る情報を見落とさないようにすることもできる。
【００６４】
また、確認操作をしたとき、所定の宛て先に伝言確認応答情報を自動送信するので、とくに手間を掛けずに伝言者に確認済で有ることを知らせることができる。また、伝言文字情報の表示中、バックライト３４、１０９を点灯したり、ビープ音を発生させたりして光と音で伝言の存在を気づかせることができ、見落としを防止することもできる。
更に、メモリ部２４の表示対象の伝言文字情報記憶領域２７には１つの伝言文字情報だけ記憶可能としてあり、伝言板機能がオンで現在、或る伝言文字情報を表示中に、外部から送信された新たな伝言文字情報が検出されたとき、伝言文字情報記憶領域２７を上書きするようにしたので、別途記憶する場合に比べてメモリ容量を節約できる。
【００６５】
なお、上記した実施の形態では、伝言文字情報記憶領域２７には１つの伝言文字情報だけ記憶可能としたが、複数のＭ個記憶可能としておき、親機または子機で伝言文字情報が新たに入力されるか、外部から新たに伝言文字情報が受信され検出されたとき、伝言文字情報記憶領域２７に追加して記憶するようにし、ＬＣＤ表示部には一番最新に入力または検出された伝言文字情報をそれまで表示されていた伝言文字情報に上書きして表示し、確認操作がされる度に、ＬＣＤ表示部にそれまで表示されていた伝言文字情報を消去し、伝言文字情報記憶領域２７からも削除し、次に新しい伝言文字情報を表示させるようにしても良い。
このようにすれば、或る伝言者からの伝言の確認前に他の伝言者からの伝言があっても、個々の伝言者の伝言文字情報を確実に知ることができ、とくに、家族からの伝言に加えて、情報配信事業者からの配信情報を伝言板機能で表示させる場合に便利である。
【００６６】
また、伝言管理情報は、第１〜第３伝言管理情報記憶領域２８〜３０の内、いずれか１つだけ登録できるようにしたが、同時に複数登録できるようにし、メールを受信したとき、第１、第２伝言管理情報記憶領域２８、２９にいずれかの登録情報と条件が一致すれば伝言文字情報の受信有りとし、また配信情報を受信したとき、第３伝言管理情報記憶領域３０の登録情報と条件が一致すれば伝言文字情報の受信有りと扱うようにしても良い。
【００６７】
また、上記した実施の形態では、外部からはＤＴＭＦ信号のほか、メール送信、情報配信でも伝言文字情報を伝達できるようにしたが、ＤＴＭＦ信号、メール送信、情報配信の内、１つまたは２つでできるようにしても良い。
また、外部からの伝言文字情報の伝達のほか、親機または子機でも伝言文字情報を入力できるようにしたが、外部からだけ伝言文字情報を送信できるようにしても良い。
【００６８】
また、外部から送信された特定の送信元メールアドレスまたはメールタイトルまたはメール本文に特定の文字列（キーワード）を含むメール情報のメールタイトルとメール本文を伝言文字情報とするようにしたが、メールタイトルだけ伝言文字情報としたり、メール本文だけ伝言文字情報としたり、メールに添付された文字情報だけ伝言文字情報としたり、或いは、メールタイトルとメール本文と添付文字情報の全てを伝言文字情報としても良い。
また、上記した実施の形態では、伝言情報は文字情報としたが、文字情報の代わりに画像情報としても良い。例えば、外部から送信された特定の送信元メールアドレス、またはメールタイトルまたはメール本文に特定の文字列（キーワード）を含むメール情報を受信したとき、メールに添付された画像情報を伝言情報として、記憶及び伝言表示させるようにしても良く、同様に、外部から送信された特定の送信元アドレスからの配信情報を受信したとき、配信情報に含まれる画像情報を伝言情報として、記憶及び伝言表示させるようにしても良い。
【００６９】
また、伝言確認応答情報は、第１、第２伝言確認応答情報記憶領域３１、３２のいずれか一方だけ登録できるようにしたが、両方に登録できるようにし、例えば、ＬＣＤ表示部３３の伝言情報表示画面に２つのＯＫボタン１、２が表示されるようにするとともに、これらＯＫボタン１、２と各々対応する２つのタッチキーを用意し、ユーザが確認応答をする際、ＯＫボタン１がタッチされたときは、第１伝言確認応答情報記憶領域３１に登録された条件で確認応答し、ＯＫボタン２がタッチされたときは、第２伝言確認応答情報記憶領域３２に登録された条件で確認応答するようにしても良い。
【００７０】
【発明の効果】
本発明によれば、電話機で伝言板機能を実現でき、表示手段に伝言文字情報を表示させて家人が特別な操作をしなくても簡単に伝言を知ることが可能となる。
【図面の簡単な説明】
【図１】本発明の一つの実施の形態に係る親子式の固定電話機の親機の構成を示すブロック図である。
【図２】図１のメモリ部の記憶内容の説明図である。
【図３】本発明の一つの実施の形態に係る親子式の固定電話機の子機の構成を示すブロック図である。
【図４】図１中のＬＣＤ表示部の表示内容の説明図である。
【図５】図１中のＬＣＤ表示部の表示内容の説明図である。
【図６】図１中のＬＣＤ表示部の表示内容の説明図である。
【符号の説明】
１  電話回線                      １０  親機
１１  回線制御部                  １２  ＤＴＭＦ検出部
１３  モデム部ス                  １４  通話着信検出部
１６  ビープ音発生部              １７  送受話器
１８  拡声スピーカ                １９  録音・再生部
２０  録音媒体                    ２１  音声合成部
２３  通話路スイッチ部            ２４  メモリ部
３３  ＬＣＤ表示部                ３４  バックライト
３５  タッチキー                  ３６  フックスイッチ
３７  操作部                      ３８  コントロール部
【図１】
0003820146.tif 000002
【図２】
0003820146.tif 000003
【図３】
0003820146.tif 000004
【図４】
0003820146.tif 000005
【図５】
0003820146.tif 000006
【図６】
0003820146.tif 000007